(57)【要約】【課題】複雑な回転機構を撮影機能のために追加することなく、撮像装置光軸と撮像装置映像を表示する画面との相対角度を任意に変更可能な携帯電子機器を提供する。【解決手段】出力側本体４と入力側本体３との端部を連結するヒンジ機構２が分割本体を相互に回動自在とし、出力側本体３の表示画面１１と入力側本体３の操作キー１７とが相対する機器本体開閉位置から両面が並列する機器開閉角度まで、機器全体の幾何形状を変更自在としている。入力側本体３のヒンジ機構２側とは逆の先端部に撮像装置６を固定搭載し、機器本体の開閉角度によって出力側本体４の表示画面１１へと表示される撮像装置６の映像のレイアウトを自動変更させている。【選択図】　　　図１
2004015779.tif 000002
【特許請求の範囲】
【請求項１】
分割された複数の機器本体をヒンジ機構で連結し、前記ヒンジ機構で前記機器本体を相互に回動自在とする折り畳み機構を含む携帯電子機器であって、
前記複数の機器本体のうちの表示画面が不搭載の機器本体における前記ヒンジ機構に対向する端部に設けられかつ映像を取得する撮像装置を有し、
前記撮像装置の光軸が前記ヒンジ機構の軸方向と直交しかつ前記撮像装置を搭載する機器本体の長手方向と平行になるように前記撮像装置を配設したことを特徴する携帯電子機器。
【請求項２】
前記表示画面に前記撮像装置からの映像を表示する際に前記ヒンジ機構の開閉角度を検出する検出センサと、前記検出センサで検出された開閉角度に基づいて前記表示画面上の映像を倒立映像とする機能とを含むことを特徴とする請求項１記載の携帯電子機器。
【請求項３】
前記撮像装置が搭載された機器本体に回転機構を介して取付けられかつ前記撮像装置及びそのレンズを保護する保護カバーを含み、
前記保護カバーは、前記ヒンジ機構による開放位置で前記撮像装置を搭載する機器本体の表面からその一部が突出し、前記ヒンジ機構による折り畳み動作と連動して前記撮像装置及びそのレンズを閉塞することを特徴とする請求項１または請求項２記載の携帯電子機器。
【請求項４】
分割された複数の機器本体をヒンジ機構で連結し、前記ヒンジ機構で前記機器本体を相互に回動自在とする折り畳み機構を含む携帯電子機器の撮像装置搭載構造であって、映像を取得する撮像装置を、前記複数の機器本体のうちの表示画面が不搭載の機器本体における前記ヒンジ機構に対向する端部において、前記撮像装置の光軸が前記ヒンジ機構の軸方向と直交しかつ前記撮像装置を搭載する機器本体の長手方向と平行になるように配設したことを特徴する撮像装置搭載構造。
【請求項５】
前記表示画面に前記撮像装置からの映像を表示する際に前記ヒンジ機構の開閉角度を検出する検出センサを配設し、前記検出センサによって検出された開閉角度に基づいて前記表示画面上の映像を倒立映像とすることを特徴とする請求項４記載の撮像装置搭載構造。
【請求項６】
前記撮像装置及びそのレンズを保護する保護カバーを前記撮像装置が搭載された機器本体に回転機構を介して取付け、
前記保護カバーが、前記ヒンジ機構による開放位置で前記撮像装置を搭載する機器本体の表面からその一部が突出し、前記ヒンジ機構による折り畳み動作と連動して前記撮像装置及びそのレンズを閉塞することを特徴とする請求項４または請求項５記載の撮像装置搭載構造。
【発明の詳細な説明】
【０００１】
【発明の属する技術分野】
本発明は携帯電子機器及びそれに用いる撮像装置搭載構造に関し、特に携帯電話装置等の携帯電子機器における撮像装置の搭載構造に関する。
【０００２】
【従来の技術】
近年、携帯電話装置等の携帯電子機器においては、撮像装置が搭載されつつあり、この撮像装置のレンズ開口面が携帯電子機器の表示画面に対向する反対面（裏面側）にくる位置に固定されるように搭載されている。
【０００３】
これは、携帯電子機器を使用した撮影状況として、撮影者が携帯電子機器を保持し、撮影者前方の人物、景色等を撮影することを想定し、撮影者がレンズ開口面を撮影対象に向けると同時に、その反対面の表示画面を視認することができるようにするためである。
【０００４】
これによって、撮影者は表示画面に映し出された映像（撮像装置の捉えている映像）を確認しながら、位置、アングルを決め、撮影操作を行うことが可能となる。しかしながら、撮影機能を有する携帯電子機器では、撮影者が携帯電子機器を持ちながら自分自身を含む撮影者自身の方向を撮影することが多々ある。この場合、従来の撮像装置の搭載位置、構造では、レンズ開口面を撮影者自身に向け、かつ表示画面を視認することは不可能である。
【０００５】
この問題の解決手段として、撮像装置の取付け構造に回転機能を持たせ、携帯電子機器本体に対して撮像装置全体を回転可能とするものがある。このような構造としては、例えば、特開平８−２２３４９２号公報に開示された技術がある。この構造を図９（ａ），（ｂ）に示す。図９（ａ），（ｂ）において、この携帯電子機器は本体５１と、液晶モニタディスプレイ５２と、撮像手段を具備するカメラユニット５３と、撮影光学系レンズ５４とからなる。
【０００６】
このようなカメラユニット５３が本体５１に対して回転する構造とすることによって、使用者が本体５１に固定された液晶モニタディスプレイ５２を見ながら使用者の前方、後方へカメラユニット５３を回転させ、撮影を可能とすることができる（以下、第１の従来技術とする）。
【０００７】
これに対して、特開２００１−３０９２１３号公報に開示された技術では、図１０（ａ），（ｂ）に示すように、撮像装置に複数の互いに異なる光軸を設定し、光学軸毎にそれぞれ独立の光学経路から構成される撮像光学系を持たせることによって、撮像装置を本体に固定する構造でも、本体の向きを変えることなく、９０度方向が異なる被写体を撮影することができるものである。図１０（ａ），（ｂ）において、撮像装置は第１のレンズ系５５と、第２のレンズ系５６と、ミラー５７とを備えている　（以下、第２の従来技術とする）。
【０００８】
【発明が解決しようとする課題】
しかしながら、上述した従来の携帯電子機器では、第１の従来技術の場合、カメラユニット５３を本体５１に対して回転させる機構がカメラユニット５３を回転させる構造的な空間を必要とし、この空間が機器の小型化を困難にさせ、回転機構部が機械的強度を低下させる要因となる。
【０００９】
また、第１の従来技術では、カメラユニット５３と本体５１とが回転軸で支持されるので、電機的接続を得る構造が複雑にならぜるを得ない。これらは小型軽量で、携帯時の衝撃力、負荷に対する高強度を要求される携帯電子機器では問題となるものである。
【００１０】
また、第２の従来技術の場合には、回転機構がなくとも、本体表示画面を見ながら複数の方向を撮影することができるが、一方の光学系で撮影中には他方の光学系に有用性は無く、これは機能の有効性から問題である。この場合、複数の光学系の存在とその信号処理機能とが撮像装置の単価を単一光学系の撮像装置に比べて確実に高いものにしてしまう。
【００１１】
上述したように、従来の撮影機能を有する携帯電子機器においては、機器本体に固定された表示画面を見ながら、撮影者の前方方向及び撮影者自身の方向の撮影を可能とする際に様々な問題点がある。
【００１２】
そこで、本発明の目的は上記の問題点を解消し、複雑な回転機構を撮影機能のために追加することなく、撮像装置の光軸と撮像装置の映像を表示する表示画面との相対角度を任意に変更することができる携帯電子機器及びそれに用いる撮像装置搭載構造を提供することにある。
【００１３】
【課題を解決するための手段】
本発明による携帯電子機器は、分割された複数の機器本体をヒンジ機構で連結し、前記ヒンジ機構で前記機器本体を相互に回動自在とする折り畳み機構を含む携帯電子機器であって、
前記複数の機器本体のうちの表示画面が不搭載の機器本体における前記ヒンジ機構に対向する端部に設けられかつ映像を取得する撮像装置を備え、
前記撮像装置の光軸が前記ヒンジ機構の軸方向と直交しかつ前記撮像装置を搭載する機器本体の長手方向と平行になるように前記撮像装置を配設している。
【００１４】
本発明による撮像装置搭載構造は、分割された複数の機器本体をヒンジ機構で連結し、前記ヒンジ機構で前記機器本体を相互に回動自在とする折り畳み機構を含む携帯電子機器の撮像装置搭載構造であって、映像を取得する撮像装置を、前記複数の機器本体のうちの表示画面が不搭載の機器本体における前記ヒンジ機構に対向する端部において、前記撮像装置の光軸が前記ヒンジ機構の軸方向と直交しかつ前記撮像装置を搭載する機器本体の長手方向と平行になるように配設している。
【００１５】
すなわち、本発明の携帯電子機器は、機器全体がヒンジを介して２分割され、分割された一方の機器本体が映像表示手段を有するもの（以下、機器から使用者への情報出力なので、出力側本体とする）、他方の機器本体が機器へのキー操作等の機能を有するもの（以下、使用者から機器への情報入力なので、入力側本体とする）とし、異なる機能を分担している。
【００１６】
本発明の携帯電子機器では、出力側本体と入力側本体との端部を連結するヒンジ機構が分割本体を相互に回動自在とし、出力側本体の映像表示面と入力側本体の操作面とが相対する機器本体開閉位置［以下、閉状態（折り畳み状態）とする］から両面が並列する機器開閉角度（以下、開状態とする）まで、機器全体の幾何形状を変更自在としている。
【００１７】
ここで、本発明の携帯電子機器では、入力側本体のヒンジ側とは逆の先端部に撮像装置を固定搭載し、機器本体の開閉角度によって出力側本体画面へと表示される撮像装置の映像のレイアウトが自動変更される機能から、出力側本体の表示画面を目視確認しつつ、出入力側本体に搭載の撮像装置レンズ開口面を任意の方向に向けて撮影することを可能としている。
【００１８】
また、本発明の携帯電子機器では、撮像装置及びレンズを保護するカバーの閉塞が機器本体の折り畳み動作と連動するようにし、機器本体を折り畳んで携帯する時に保護カバーが常に撮像装置及びレンズを閉塞する位置となる。
【００１９】
より具体的に説明すると、本発明の携帯電子機器は、中央のヒンジ機構を境界として出力側本体及び入力側本体に分割され、出力側本体及び入力側本体がヒンジ機構を回転軸として折り畳まれた閉状態（開閉角度略０度）から開状態（開閉角度略１８０度）まで相互に回動自在としている。
【００２０】
撮像装置は入力側本体のヒンジ機構とは逆側の先端部に搭載され、その光学系の光軸方向はヒンジ軸方向と直交し、操作面（入力側本体の全長方向）と平行になっている。入力側本体のヒンジ逆先端面には、撮像装置視界を確保する開口部を有し、レンズ開口面を形成している。撮像装置は入力側本体内部に完全固定され、入力側本体に対して撮像装置及びその光軸の位置及び角度を変更する可動機構を設けていない。
【００２１】
撮像装置が捉えている映像は、時間差無く、出力側本体の表示画面に表示される。出力側本体の表示画面上に撮像装置の映像を表示するレイアウトは、撮像装置側の上下方向と表示画面側の上下方向とが一致するものと、上下方向が逆転するものとの２種類があり、この２種類の表示レイアウトは角度検出センサによって求められた機器本体の開閉角度から自動的に決定、変更される。
【００２２】
外部からの擦過、磨耗、汚れ、特にレンズへ直接掛かる荷重から撮像装置とそのレンズとを保護するカバーは、入力側本体の操作面及びヒンジとは逆先端面に掛かる位置に取付けられている。レンズを保護するカバーは回転機構を持ち、閉塞位置では入力側本体面と同一面となり、開放位置では入力側本体操作面より突出する。
【００２３】
本発明の携帯電子機器では、上記の構造を持つ撮像装置が入力側本体へ完全固定されているが、入力側本体と出力側本体とを連結するヒンジ機構の存在によって、出力側本体に搭載された表示画面と撮像装置の光軸との角度を任意に９０度以上変更可能である。
【００２４】
撮像装置の光軸と表示画面との角度の変更によって、機器を持ち、撮影操作を行う撮影者前方の人物、風景の撮影（通常撮影）のみでなく、撮影者自身の方向を撮影　（自己撮影）する状況においても、撮像装置の光軸が撮影対象方向を指向した状態で、撮影者は出力側本体の表示画面で撮像装置の捉えている映像を目視、確認することが可能である。
【００２５】
撮影終了後、携帯電子機器を携帯すべく、出力側本体と入力側本体とを折り畳む動作をすると、開放位置のレンズを保護するカバーは出力側本体と干渉する。携帯電子機器を完全に閉状態まで折り畳むと、レンズを保護するカバーは閉塞位置まで回動され、携帯電子機器を携帯する際の撮像装置及びレンズの損傷を防止する。
【００２６】
上述したように、本発明の携帯電子機器における撮像装置の取付け構造は、複雑な回転機構を有さず、入力側本体への簡素、堅牢な固定構造とにっている。しかしながら、出力側本体と入力側本体とのヒンジ回転機構の存在から、撮像装置の光軸と出力側本体の表示画面との相対角度の変更を可能としている。
【００２７】
出力側本体及び入力側本体を連結、回動させるヒンジ機構は、携帯時のコンパクト化、画面の大型化等の目的から存在するものである。これから、本発明での撮像装置の取付け位置、構造ならば、複雑な回転機構を撮影機能のために追加することなく、撮像装置光軸と撮像装置の映像を表示する表示画面との相対角度を任意に変更することが可能となる。
【００２８】
これは撮影者前方の撮影（通常撮影）及び撮影者自身の方向の撮影（自己撮影）において、撮像装置の捉えた映像を表示画面で視認、確認しながらの撮影（特に自己撮影）を可能とするものである。
【００２９】
また、通常撮影と自己撮影とのヒンジ開閉角度を相違させることによつて、通常撮影と自己撮影とにおける撮像装置の映像の表示画面でのレイアウトを自動変更するので、通常撮影、自己撮影の両撮影状況で、撮影対象と画面上の映像とを認識して合致することに混乱は無く、スムーズな撮影操作が可能となる。
【００３０】
精巧かつ脆性な撮像装置及びそのレンズは、携帯電子機器の携帯時に破損しやすいが、本発明では、撮影終了から携帯への移行時に行う折り畳み動作と連動して保護カバーが完全に閉塞するので、携帯時の保護が確実に行われる。
【００３１】
さらに、撮影以外の操作をする際、映像装置が搭載された入力側本体のヒンジ機構とは逆先端で下方向を向く。これから、撮像装置のレンズを周辺の人々の視野から外し、周辺の人々が撮影レンズを見て不快になることは無い。
【００３２】
【発明の実施の形態】
次に、本発明の実施例について図面を参照して説明する。図１は本発明の一実施例による携帯電子機器全体の概要を示す図であり、図２は本発明の一実施例による撮像装置の固定保持構造及び保護カバーの一例を示す図であり、図３は図２の閉塞位置でのＡ−Ａ断面を示す図であり、図４は図２の開放位置でのＡ−Ａ断面を示す図であり、図５は図２の開放位置でのＢ−Ｂ断面を示す図である。
【００３３】
ここで、図１にはその一部を分解した状態で、本発明の概要を示している。この図１の分解図において、本発明の特徴としない内部部品及び筐体嵌合構造は自明であるので、その図示を省略している。
【００３４】
本発明の一実施例による携帯電子機器は、機器全体がヒンジ機構２を介して、映像表示手段を有するもの（以下、機器から使用者への情報出力なので、出力側本体とする）３と、機器へのキー操作等の機能を有するもの（以下、使用者から機器への情報入力なので、入力側本体とする）４とに２分割され、それぞれ異なる機能を分担している。
【００３５】
本発明の一実施例による携帯電子機器では、出力側本体３と入力側本体４との端部を連結するヒンジ機構２が分割された出力側本体３及び入力側本体４を相互に回動自在とし、出力側本体３の映像表示面と入力側本体４の操作面とが相対する機器本体開閉位置［以下、閉状態（折り畳み状態）とする］から両面が並列する機器開閉角度　（以下、開状態とする）まで、機器全体の幾何形状を変更自在としている。
【００３６】
出力側本体３と入力側本体４とはその端部にヒンジ機構２を構成する形状を有し、それによって構成される円筒状の空間へヒンジユニット５を挿入している。これによって、出力側本体３と入力側本体４とはヒンジ機構２によって連結され、回動自在となっている。
【００３７】
出力側本体３には液晶等による映像を表示する表示画面１１を有し、機器の使用者へ情報を提供する。入力側本体４には押しボタン等による操作キー１７を有し、機器へ操作情報を入力する。
【００３８】
出力側本体３の表示画面１１を有する面と、入力側本体４に有する操作キー１７を有する面とは、携帯時の完全閉状態（折り畳み状態）では相対し、操作時の完全開状態では並列する。図１では開状態の位置関係を示している。
【００３９】
入力側本体４の筐体は、通常、側面、端面の中央付近で分割され、下筐体１８及び上筐体２０の２個の筐体から構成される。下筐体１８の内側には撮像装置６の固定リブ１９が設けられ、この固定リブ１９で構成される空間に撮像装置６を収納する。
【００４０】
上筐体２０にも撮像装置６と接し、その動きを拘束する固定リブ１９があり、下筐体１８内部へ撮像装置６を組込み、上筐体２０と下筐体１８とを嵌合させると、撮像装置６は入力側本体４の内部に固定、保持される。撮像装置６からは映像信号を本体回路へ送る接続線２１が伸び、この接続線２１の通過箇所である固定リブ１９にはスリット２２を構成している。
【００４１】
撮像装置６の光軸７はヒンジ機構２の軸方向と直交し、操作面８（入力側本体４の全長方向）と平行になっており、下筐体１８にはレンズ開口部９を有し、撮像装置６の視界を確保する。撮像装置６の映像は出力側本体３の表示画面１１で表示され、機器使用者は表示画面１１を目視、確認して撮影操作を行う。
【００４２】
ヒンジ機構２の近傍にはヒンジ開閉角度を検出する角度検出センサ１４を搭載し、開閉角度が略１８０度（完全開状態）と略９０度（半開状態）とのいずれであるかを決定する。
【００４３】
完全開状態では、撮像装置６側の上下１２と表示画面１１側の上下１３とが逆の倒立像を、半開状態では撮像装置６側の上下１２と表示画面１１側の上下１３とが一致する像を表示画面１１に表示し、その切替えは角度検出センサ１４からの情報で自動的に行われる。
【００４４】
本実施例では、出力側本体３のヒンジ機構２の内部に磁石２３を設置し、入力側本体４のヒンジ機構２の近傍の角度検出センサ１４は、この磁石２３の磁気を検出するものと想定している。
【００４５】
撮像装置６のレンズ１５を保護する保護カバー１６はＬ字形状となっており、一方の先端の両側には回転軸２４を有する。上筐体２０及び下筐体１８の撮像装置６の固定リブ１９には半円形状の切り欠き２５を持ち、上筐体２０及び下筐体１８の嵌合時には円筒形状を形成、保護カバー１６の回転軸２４を保持する。上筐体２０には閉塞時に保護カバー１６が収まる凹部２６を設けており、保護カバー１６の回転軸２４側の側面は傾斜面２７となっている。
【００４６】
保護カバー１６は筐体へ組込まれると、レンズ開口面１０を完全に覆う閉塞位置から、撮像装置６の視界を妨げない開放位置まで、回転軸２４を中心に回動自在となっている。閉塞位置での保護カバー１６は操作面８の凹部２６に完全に収まり、操作面８と同一面となり、開放状態の位置での保護カバー１６は凹部２６の傾斜面２７との干渉で、その位置が拘束される。
【００４７】
図６は本発明の一実施例による撮影者前方を撮影する通常撮影の状態を示す図である。図６において、通常撮影では入力側本体４と出力側本体３との開閉角度を一直線状になる完全開状態にする。
【００４８】
この場合には、保護カバー１６を開放位置まで上げ、撮像装置６の視界を確保し、出力側本体３の逆先端のレンズ開口面１０を撮影者前方の撮影対象２８に指向する。これによって、撮影者は出力側本体３の表示画面１１を上から見下ろして視認することができる。
【００４９】
この時、ヒンジ機構２の開閉角度が完全開状態なので、撮像装置映像は表示画面１１に上下が逆の倒立した映像２９として表示される。撮影者は前方の撮影対象２８と表示画面１１上の映像２９とを視認、確認しながら、機器全体を動かして撮影操作を実行する。
【００５０】
図７は本発明の一実施例による撮影者自身の方向を撮影する自己撮影の状態を示す図である。図７において、ヒンジ機構２での回動によって入力側本体４と出力側本体３とがなす角度が略９０度となる半開状態にし、保護カバー１６を開け、レンズ開口面１０を撮影者自身の方向に向ける。
【００５１】
半開状態で、入力側本体３の逆先端のレンズ開口面１０を撮影者自身の方向にある撮影対象３０に向けると、おのずと出力側本体４の表示画面１１と相対し、視認することができる。
【００５２】
この時、ヒンジ機構２の開閉角度は半開状態なので、撮像装置６の映像は表示画面１１に上下が一致する映像３１として表示される。撮影者は表示画面１１上の映像３１を視認、確認しながら、機器全体を動かして撮影操作を実行する。
【００５３】
図８は本発明の一実施例による撮影終了時の状態を示す図である。図８において、撮影が終了し、携帯電子機器を携帯すべく折り畳むと、開放位置にある保護カバー１６は出力側本体３と干渉する。
【００５４】
開放位置での保護カバー１６と出力側本体３との接触角度から、出力側本体３の折り畳み動作を継続すると、保護カバー１６には閉塞方向へのトルクが生じ、折り畳み動作と連動して保護カバー１６が閉塞される。出力側本体３が完全に折り畳まれると、保護カバー１６も完全に閉塞位置になり、撮像装置６及びレンズ１５の露出箇所は無くなる。
【００５５】
このように、本発明の一実施例における撮像装置６の取付け構造は、複雑な回転機構を有さず、入力側本体３への簡素、堅牢な固定構造である。しかしながら、出力側本体３と入力側本体４とを回動させるヒンジ機構２の存在から、撮像装置６の光軸７と出力側本体４の表示画面１１との相対角度の変更が可能となる。
【００５６】
出力側本体３と入力側本体４とを連結、回動させるヒンジ機構２は、携帯時のコンパクト化、表示画面１１の大型化等の目的から存在するものである。これによって、本発明の一実施例による撮像装置６の取付け位置、構造をとることで、複雑な回転機構を撮影機能のために追加することなく、撮像装置６の光軸７と撮像装置６の映像を表示する表示画面１１との相対角度を任意に変更することができる。
【００５７】
これは撮影者前方の撮影（通常撮影）及び撮影者自身の方向の撮影（自己撮影）において、撮像装置６の捉えた映像を表示画面１１で視認、確認しながらの撮影（特に自己撮影）を可能とする。
【００５８】
また、通常撮影と自己撮影とにおけるヒンジ機構２の開閉角度を相違させることによって、通常撮影及び自己撮影での撮像装置６の映像の表示画面１１でのレイアウトが自動的に変更するので、通常撮影及び自己撮影の両撮影状況で、撮影対象２８，３０と表示画面１１上の映像２９，３１とを認識して合致させることに混乱は無く、スムーズな撮影操作を行うことができる。
【００５９】
精巧かつ脆性な撮像装置６及びそのレンズ１５は、携帯電子機器の携帯時に破損しやすいが、本発明の一実施例では撮影終了から携帯状態への移行時に行う折り畳み動作と連動して保護カバー１６が完全に閉塞するので、携帯時の保護は確実に行われる。
【００６０】
また、撮影以外の操作をする際、映像装置６が搭載された入力側本体３のヒンジ機構２との逆先端が下方向を向く。これによって、撮像装置６のレンズ１５を周辺の人々の視野から外し、周辺の人々が撮像装置６のレンズ１５を見て不快になることは無い。
【００６１】
【発明の効果】
以上説明したように本発明は、分割された複数の機器本体をヒンジ機構で連結し、ヒンジ機構で機器本体を相互に回動自在とする折り畳み機構を含む携帯電子機器において、映像を取得する撮像装置を、複数の機器本体のうちの表示画面が不搭載の機器本体におけるヒンジ機構に対向する端部に、撮像装置の光軸がヒンジ機構の軸方向と直交しかつ撮像装置を搭載する機器本体の長手方向と平行になるように配設することによって、複雑な回転機構を撮影機能のために追加することなく、撮像装置の光軸と撮像装置の映像を表示する表示画面との相対角度を任意に変更することができるという効果が得られる。
【図面の簡単な説明】
【図１】本発明の一実施例による携帯電子機器全体の概要を示す図である。
【図２】本発明の一実施例による撮像装置の固定保持構造及び保護カバーの一例を示す図である。
【図３】図２の閉塞位置でのＡ−Ａ断面を示す図である。
【図４】図２の開放位置でのＡ−Ａ断面を示す図である。
【図５】図２の開放位置でのＢ−Ｂ断面を示す図である。
【図６】本発明の一実施例による撮影者前方を撮影する通常撮影の状態を示す図である。
【図７】本発明の一実施例による撮影者自身の方向を撮影する自己撮影の状態を示す図である。
【図８】本発明の一実施例による撮影終了時の状態を示す図である。
【図９】（ａ），（ｂ）は従来の携帯電子機器の撮像装置の回転構造を示す図である。
【図１０】（ａ），（ｂ）は従来の撮像装置の回転機構を示す図である。
【符号の説明】
１　機器全体
２　ヒンジ機構
３　出力側本体
４　入力側本体
５　ヒンジユニット
６　撮像装置
７　光軸
８　操作面
９　開口部
１０　レンズ開口面
１１　表示画面
１２　撮像装置側の上下
１３　表示画面側の上下
１４　角度検出センサ
１５　レンズ
１６　保護カバー
１７　操作キー
１８　下筐体
１９　固定リブ
２０　上筐体
２１　接続線
２２　スリット
２３　磁石
２４　回転軸
２５　半円切り欠き
２６　凹部
２７　傾斜面
２８　通常撮影時の対象
２９　通常撮影時の映像
３０　自己撮影時の対象
３１　自己撮影時の映像
【図１】
2004015779.tif 000003
【図２】
2004015779.tif 000004
【図３】
2004015779.tif 000005
【図４】
2004015779.tif 000006
【図５】
2004015779.tif 000007
【図６】
2004015779.tif 000008
【図７】
2004015779.tif 000009
【図８】
2004015779.tif 000010
【図９】
2004015779.tif 000011
【図１０】
2004015779.tif 000012